(57)【要約】【課題】  ユーザがリムーバブル記録媒体をケースから取り出して再生装置にセットすることなくリムーバブル記録媒体に記録されている記録内容を知ることができるようにする。【解決手段】  リムーバブル記録媒体１１のインデックスナンバーを記憶するためのＲＦタグ１２、１３を記録媒体に貼付し、記録装置３１により記録媒体にコンテンツを記録するとともに、記録媒体のインデックスナンバーごとに記録媒体の記録内容を蓄積してユーザにより指定された記録内容に対応するインデックスナンバーを記録媒体探索装置２１ａに送信し、記録媒体探索装置によりＲＦタグに記憶されたインデックスナンバーを読み取り、読み取ったインデックスナンバーと記録装置から送信されたインデックスナンバーを比較して一致した場合に密着型ＲＦＩＤ用のＬＥＤ２５、２６を点灯して比較結果をユーザに報知する。【選択図】    図１
2007048403.tif 000002
【特許請求の範囲】
【請求項１】
所定の記録装置と、前記記録装置により記録される記録媒体と、前記記録装置の動作を制御するユーザ端末とを用い、前記記録装置によりコンテンツを記録する前記記録媒体にＲＦタグを貼付して前記ＲＦタグと前記ユーザ端末により前記記録媒体を探索する記録媒体探索システムであって、
前記ＲＦタグは、前記記録媒体のＩＤを記憶する記憶手段を有し、
前記記録装置は、前記記録媒体にコンテンツを記録する際に前記記録媒体のＩＤごとに前記記録媒体の記録コンテンツを示す情報を蓄積する蓄積手段と、ユーザにより前記記録コンテンツを示す情報が指定された場合に前記蓄積手段の蓄積情報に基づいて前記指定された情報に対応する前記記録媒体のＩＤを前記ユーザ端末に送信する送信手段とを有し、
前記ユーザ端末は、前記ＲＦタグの記憶手段に記憶された前記記録媒体のＩＤを読み取る読み取り手段と、前記読み取り手段により読み取られたＩＤと前記記録装置の送信手段から送信されたＩＤを比較する比較手段と、前記比較手段の比較結果をユーザに報知する報知手段とを有する記録媒体探索システム。
【請求項２】
所定の記録装置と、前記記録装置により記録される記録媒体と、前記記録装置の動作を制御するユーザ端末とを用い、前記記録装置によりコンテンツを記録する前記記録媒体にＲＦタグを貼付して前記ＲＦタグと前記ユーザ端末により前記記録媒体を探索する記録媒体探索システムであって、
前記ＲＦタグは、前記記録媒体のＩＤを記憶する記憶手段を有し、
前記ユーザ端末は、前記ＲＦタグの記憶手段に記憶された前記記録媒体のＩＤを読み取る読み取り手段と、前記読み取り手段により読み取られたＩＤをユーザに表示する表示手段と、前記読み取り手段により読み取られたＩＤを前記記録装置に送信する送信手段とを有し、
前記記録装置は、前記記録媒体にコンテンツを記録する際に前記記録媒体のＩＤごとに前記記録媒体の記録コンテンツを示す情報を蓄積する蓄積手段と、前記蓄積手段の蓄積情報に基づいて前記ユーザ端末から送信された前記記録媒体のＩＤに対応する前記記録コンテンツを示す情報を前記ユーザ端末に送信する送信手段とを有し、
前記ユーザ端末の表示手段は、前記記録装置から送信された前記記録コンテンツを示す情報を前記ＩＤと共にユーザに表示する記録媒体探索システム。
【発明の詳細な説明】
【技術分野】
【０００１】
本発明は、記録装置や再生装置に対して着脱可能（リムーバブル）な記録媒体をユーザが探索するための記録媒体探索システムに関する。
【背景技術】
【０００２】
カセットテープやディスクなどのリムーバブル記録媒体に録画装置により複数の映像を順次記録した場合、ユーザがその記録内容を識別するために、従来は、ユーザが記録媒体及び記録媒体を収納するケースに記録内容を識別できるようラベルを貼るといった作業が必要であった。しかしながら、この方法では、記録内容を変更する度にラベルを替えなければならず、管理が非常に煩雑になるという問題があった。さらに、ラベルにはタイトル程度の情報しか記載することができないため、内容の詳細を知るためには実際に再生を行って確かめるしか方法がなかった。そこで、上記問題の改善を図るため、下記の特許文献１に記載されているように、記録媒体を再生装置に挿入することにより、詳細な記録内容を表示するシステムが提案されている。
【特許文献１】特開平４−１０５２８５号公報（要約書）
【発明の開示】
【発明が解決しようとする課題】
【０００３】
しかしながら、上記従来のシステムでは、記録媒体をその都度再生装置に挿入しなければ内容が分からないため、記録内容の識別に手間がかかるという問題がある。さらに、ユーザが記録媒体の記録内容を確認する目的の多くは、所望する映像がどの記録媒体に記録されているかを探すためである。そのため、多数の記録媒体がある場合、上記の手法で目的の記録媒体を探すのは非常に面倒であり、より簡単に目的の映像を見つけることができるシステムが望まれている。
【０００４】
本発明は上記従来例の問題点に鑑み、ユーザが記録媒体をケースから取り出して再生装置にセットすることなく記録媒体に記録されている記録内容を知ることができ、また、複数の記録媒体から所望の記録内容が記録されている記録媒体を知ることができる記録媒体探索システムを提供することを目的とする。
【課題を解決するための手段】
【０００５】
本発明は上記目的を達成するために、所定の記録装置と、前記記録装置により記録される記録媒体と、前記記録装置の動作を制御するユーザ端末とを用い、前記記録装置によりコンテンツを記録する前記記録媒体にＲＦタグを貼付して前記ＲＦタグと前記ユーザ端末により前記記録媒体を探索する記録媒体探索システムであって、
前記ＲＦタグは、前記記録媒体のＩＤを記憶する記憶手段を有し、
前記記録装置は、前記記録媒体にコンテンツを記録する際に前記記録媒体のＩＤごとに前記記録媒体の記録コンテンツを示す情報を蓄積する蓄積手段と、ユーザにより前記記録コンテンツを示す情報が指定された場合に前記蓄積手段の蓄積情報に基づいて前記指定された情報に対応する前記記録媒体のＩＤを前記ユーザ端末に送信する送信手段とを有し、
前記ユーザ端末は、前記ＲＦタグの記憶手段に記憶された前記記録媒体のＩＤを読み取る読み取り手段と、前記読み取り手段により読み取られたＩＤと前記記録装置の送信手段から送信されたＩＤを比較する比較手段と、前記比較手段の比較結果をユーザに報知する報知手段とを有することを特徴とする。
【０００６】
本発明は上記目的を達成するために、所定の記録装置と、前記記録装置により記録される記録媒体と、前記記録装置の動作を制御するユーザ端末とを用い、前記記録装置によりコンテンツを記録する前記記録媒体にＲＦタグを貼付して前記ＲＦタグと前記ユーザ端末により前記記録媒体を探索する記録媒体探索システムであって、
前記ＲＦタグは、前記記録媒体のＩＤを記憶する記憶手段を有し、
前記ユーザ端末は、前記ＲＦタグの記憶手段に記憶された前記記録媒体のＩＤを読み取る読み取り手段と、前記読み取り手段により読み取られたＩＤをユーザに表示する表示手段と、前記読み取り手段により読み取られたＩＤを前記記録装置に送信する送信手段とを有し、
前記記録装置は、前記記録媒体にコンテンツを記録する際に前記記録媒体のＩＤごとに前記記録媒体の記録コンテンツを示す情報を蓄積する蓄積手段と、前記蓄積手段の蓄積情報に基づいて前記ユーザ端末から送信された前記記録媒体のＩＤに対応する前記記録コンテンツを示す情報を前記ユーザ端末に送信する送信手段とを有し、
前記ユーザ端末の表示手段は、前記記録装置から送信された前記記録コンテンツを示す情報を前記ＩＤと共にユーザに表示することを特徴とする。
【発明の効果】
【０００７】
本発明によれば、ＲＦタグを記録媒体に貼付して記録媒体を管理するので、ユーザが記録媒体をケースから取り出して再生装置にセットすることなく記録媒体に記録されている記録内容を知ることができ、また、複数の記録媒体から所望の記録内容が記録されている記録媒体を知ることができる。
【発明を実施するための最良の形態】
【０００８】
以下、図面を参照して本発明の実施の形態について説明する。
＜第１の実施の形態＞
図１は本発明の第１の実施の形態に係る記録媒体探索システムを示すブロック図、図２は図１の記録媒体探索装置を示す外観図である。
【０００９】
図１に示すシステムは、概略的にＣＤ、ＤＶＤ、ＶＨＳテープ、ＤＶテープ、ＳＤカードなどのリムーバブル記録媒体１１に貼付されて記録媒体１１のＩＤとしてインデックスナンバーを記憶するための密着型のＲＦＩＤ（Radio Frequency IDentification System）タグ１２及び近接型のＲＦＩＤタグ１３と、無線ユーザ端末である記録媒体探索装置２１ａと、記録媒体１１にコンテンツを記録するとともに、記録媒体１１のＩＤごとに記録媒体１１の記録内容を蓄積して管理する記録装置３１により構成される。なお、ＲＦＩＤを単にＲＦと記すこともある。
【００１０】
ここで、ＲＦＩＤでは、タグの種類、通信方式、使用する周波数帯、リーダ／ライタの出力レベルなどによって通信距離が異なり、通信距離によって密着型、近接型、近傍型、遠隔型に分けられる。その距離は密着型で数ｍｍ以内、近接型では最大１０〜２０ｃｍ程度、近傍型は最大１ｍ程度、それ以上のものは遠隔型に分類される。本システムにおいて、複数の記録媒体に付されたタグを一度に読み取ることを考えると、数十ｃｍの通信距離が最適である。そのため近接型を使用するのが望ましい。しかし、近接型のＲＦＩＤタグ１３だけでは、複数のＲＦＩＤタグが密集している場合にある特定の記録媒体１つだけを読むことが難しい。そこで、第１の実施の形態では、近接型のＲＦＩＤタグ１３だけでなく密着型のＲＦＩＤタグ１２も使用する。記録媒体１１には２種類のＲＦＩＤタグ１２、１３を貼付し、記録媒体探索装置２１ａには２種類のＲＦＩＤリーダ２２、２３を備える。これにより、複数の記録媒体１１の近接型のＲＦＩＤタグ１３を一度に読み取ることができると同時に、その中から任意の記録媒体１１の密着型のＲＦＩＤタグ１２のみを読み取ることも可能となる。
【００１１】
記録装置３１は記録媒体１１を記録媒体格納部３２へと格納すると、記録媒体１１に付されたＲＦＩＤタグ１２、１３に書かれているインデックスナンバーをＲＦＩＤリーダ３４が読み出し、記録内容情報蓄積部３５へと伝える。ここで、ＲＦＩＤタグ１２、１３にデータが書かれていないか、未登録のインデックスナンバーが書かれているか、あるいは密着型のＲＦＩＤタグ１２と近接型のＲＦＩＤタグ１３に書かれているインデックスナンバーが異なる場合、記録内容情報蓄積部３５はＲＦＩＤライタ３３に新規のインデックスナンバーを送信し、ＲＦＩＤライタ３３はこのインデックスナンバーを密着型のＲＦＩＤタグ１２と近接型のＲＦＩＤタグ１３に書き込む。記録装置３１は映像／画像／音声入力４２を記録部３８にて記録媒体１１に記録する。この際、記録内容情報蓄積部３５は、インターネット４３などから記録内容に関する詳細な情報を収集し、インデックスナンバー別に記録する。
【００１２】
ユーザが記録内容表示／選択インタフェース３７を介して得られた記録内容のリストの中から、所望する記録内容をユーザ入力４１によって選択すると、記録内容情報蓄積部３５は、選択された記録内容が収録されている記録媒体１１に対応するインデックスナンバーをインデックスナンバー送信部３６へ送り、インデックスナンバー送信部３６はこのインデックスナンバーを受け取って記録媒体探索装置２１ａのインデックスナンバー受信部２７へ無線で送信する。
【００１３】
記録媒体探索装置２１ａは、インデックスナンバー受信部２７で記録装置３１からインデックスナンバーを受け取ると、インデックスナンバーの受信を知らせるＬＥＤ２８を点灯させる。ＬＥＤ２８が点灯した状態でユーザ入力４１によりリーダＯＮ／ＯＦＦスイッチ２９への入力があると、密着型のＲＦＩＤリーダ２２と近接型のＲＦＩＤリーダ２３の電源がＯＮの状態になる。ＲＦＩＤリーダ２２、２３はそれぞれ、ＲＦＩＤタグ１２、１３と通信を行い、ＲＦＩＤタグ１２、１３に書かれているインデックスナンバーがインデックスナンバー受信部２７で受け取ったインデックスナンバーと一致した場合に、探索結果提示部２４ａの対応する密着型ＲＦＩＤ用のＬＥＤ２５と近接型ＲＦＩＤ用のＬＥＤ２６を点灯させる。ユーザは近接型ＲＦＩＤ用のＬＥＤ２６の点灯により、探索対象となる記録媒体１１を絞り込み、密着型ＲＦＩＤ用のＬＥＤ２５の点灯する記録媒体１１を見つけ出す。これにより、ユーザは所望する記録内容が収録された記録媒体１１を見つけ出すことができる。
【００１４】
図２は記録媒体探索装置２１ａの一例の外観図である。記録媒体探索装置２１ａにはインデックスナンバー受信部２７のアンテナ６１、密着型のＲＦＩＤリーダ２２のアンテナ６２、近接型のＲＦＩＤリーダ２３のアンテナ６３が備えられている。また、インデックスナンバーを記録装置３１から受け取った場合に点灯するＬＥＤ２８が備えられており、ユーザはＬＥＤ２８の点灯を確認した上でＲＦＩＤリーダ２２、２３の電源をＯＮにするためのリーダＯＮ／ＯＦＦスイッチ２９を押し、アンテナ６２、６３を記録媒体１１に向けて、近接型ＲＦＩＤ用のＬＥＤ２６の点灯する１つあるいは複数の記録媒体１１を探す。さらに、前記操作にて絞り込んだ記録媒体１１に対し、記録媒体探索装置２１ａをさらに近付けて、密着型ＲＦＩＤ用のＬＥＤ２５が点灯する記録媒体を探し出す。この操作により、ユーザは所望する記録内容が収録された記録媒体１１を再生装置に挿入することなく、またケースから取り出すことなく、見つけ出すことが可能である。
【００１５】
＜第２の実施の形態＞
図３、図４はそれぞれ、第２の実施の形態のシステム構成、無線ユーザ端末である記録媒体探索装置２１ｂを示す。複数のＲＦＩＤタグ１２、１３を用いた第１の実施の形態のシステムとは異なり、ＲＦＩＤタグは近接型のＲＦＩＤタグ１３のみを使用する。また、記録媒体探索装置２１ｂでは、密着型のＲＦＩＤリーダ２２の代わりにリーダ出力レベル制御部５１が追加される。本システムは、ユーザが近接型のＲＦＩＤリーダ２３の電源をＯＮにするまでは、第１の実施形態のシステムと同じ動作を行う。その後、ユーザ入力４１によってリーダ出力レベル制御部５１が近接型のＲＦＩＤリーダ２３の出力レベルを制御する。これにより、ユーザは適宜、最適な通信距離を選択しながら目標となる記録媒体１１を探索することが可能となる。
【００１６】
＜第３の実施の形態＞
図５、図６はそれぞれ、第３の実施の形態のシステム構成、無線ユーザ端末である記録内容表示装置２１ｃの一例を示す。第３の実施の形態（及び第４の実施の形態）では、リムーバブル記録媒体１１に映像、画像、音声のコンテンツを記録する際に、記録した番組タイトルや記録日時や記録画像の一部などの詳細な記録情報を記録媒体１１と関連付けて記録装置３１内部に蓄積する手段と、記録媒体１１と記録内容を関連付けるための手段と、任意の記録媒体１１の詳細な記録内容を再生装置に記録媒体１１を挿入することなく、ユーザに表示する手段とを有する記録内容表示システムが提供される。
【００１７】
記録内容と記録媒体１１を関連付けするために、ＲＦＩＤを利用し、記録媒体１１にはＲＦＩＤタグ１２、１３を付加する。記録装置３１にはＲＦＩＤタグ１２、１３の情報を読み込むためのＲＦＩＤリーダ３４を内蔵する。ＲＦＩＤタグ１２、１３は読み込むだけのリードオンリ型でも構わないが、記録データ管理の利便性のためにデータの書き換えが可能なリード／ライト型を用いるのが望ましい。ただし、リード／ライト型の場合は、記録装置３１にＲＦＩＤリーダ３４だけでなくＲＦＩＤライタ３３も内蔵させる必要がある。
【００１８】
記録装置３１は記録を行う際に、記録日時や記録した場所、あるいは番組タイトル、番組の解説、モーションサムネイル（番組の一部を切り出し小さな画像サイズで再生したもの）などの情報をインターネット４３やＧＰＳなどを利用して取得し、その記録メディアに付される識別番号（インデックスナンバー）別に格納する。この時、ＲＦＩＤタグがリード／ライト型である場合には、必要に応じてインデックスナンバーをＲＦＩＤタグ１２、１３へ書き込む。
【００１９】
ユーザは、記録内容表示装置２１ｃによって記録媒体１１に記録された内容の詳細を知ることができる。ここで、記録内容表示装置２１ｃは、ＲＦＩＤタグ１２、１３に書き込まれているインデックスナンバーを読み取るためのＲＦＩＤリーダ２２、２３と、読み込んだＲＦＩＤタグ１２、１３のインデックスナンバーを記録装置３１へと送信するインデックスナンバー送信部５３と、記録装置３１から送られてくる記録内容の情報を受信する記録内容受信部５５と、記録内容を表示するための表示部２４ｃを備える。まず、ユーザは、記録内容表示装置２１ｃが備えるＲＦＩＤリーダ２２、２３で記録済みの記録媒体１１に付されたＲＦＩＤタグ１２、１３を読み込む。記録内容表示装置２１ｃはＲＦＩＤタグ１２、１３から読み取ったインデックスナンバーを記録装置３１に送信し、記録装置３１は受信したインデックスナンバーに対応する情報を記録内容表示装置２１ｃに送信する。記録内容表示装置２１ｃが受信した情報を内容表示画面に表示することにより、ユーザは当該記録媒体１１に記録された内容の詳細を知ることができる。
【００２０】
ＲＦＩＤの利点の１つは、複数のＲＦＩＤタグと同時に通信することができる点であり、これを利用して、本システムでは、１つの記録媒体１１の情報だけでなく数の記録媒体１１の情報を一度に扱うことが可能である。ここで、ＲＦＩＤではタグの種類、通信方式、使用する周波数帯、リーダ／ライタの出力レベルなどによって通信距離が異なり、通信距離によって密着型、近接型、近傍型、遠隔型に分けられ、その距離は密着型で数ｍｍ以内、近接型では最大１０〜２０ｃｍ程度、近傍型は最大１ｍ程度、それ以上のものは遠隔型に分類されるが、本システムにおいて、複数の記録媒体１１に付されたタグを一度に読み取ることを考えると、数十ｃｍの通信距離が最適である。そのため近接型を使用するのが望ましい。しかし、近接型のＲＦＩＤタグ１３だけでは、複数の近接型のＲＦＩＤタグ１３が密集している場合にある特定の記録媒体１１、１つだけを読むことが難しい。そこで、第３の実施の形態では、近接型のＲＦＩＤタグ１３だけでなく密着型のＲＦＩＤタグ１２も使用する。記録媒体１１には２種類のＲＦＩＤタグ１２、１３を付加し、記録内容表示装置２１ｃには２種類のＲＦＩＤリーダ２２、２３を備え、それと同時に切替え機能を持たせる。これにより、１つの記録媒体１１の記録内容を表示することができると同時に、複数の記録媒体１１の情報をまとめて表示することも可能となる。
【００２１】
また、後述する第４の実施の形態では、１つのＲＦＩＤのみを用い、記録内容表示装置２１ｄのリーダ出力レベルを制御する機構を備えることにより、上記と同等の機能を実現できる。例えば、近接型のＲＦＩＤを用い、最大出力レベル時（通信距離１０〜２０ｃｍ）は複数記録媒体の内容表示、出力レベルを下げて密着型に近い通信距離（数ｃｍ程度）にすることで１つの記録媒体１１の内容表示を行う。
【００２２】
図５、図６を参照して、それぞれ第３の実施の形態のシステム構成、記録内容表示装置２１ｃの一例を詳しく説明する。ＣＤ、ＤＶＤ、ＶＨＳテープ、ＤＶテープ、ＳＤカードなどの記録媒体１１には、密着型のＲＦＩＤタグ１２と近接型のＲＦＩＤタグ１３を貼付する。記録装置３１は記録媒体１１を記録媒体格納部３２へと格納するとき、記録媒体１１に付されたＲＦＩＤタグ１２、１３に書かれているインデックスナンバーをＲＦＩＤリーダ３４が読み出し、記録内容情報蓄積部３５へと伝える。ここで、ＲＦＩＤタグ１２、１３にデータが書かれていないか、未登録のインデックスナンバーが書かれているか、あるいは密着型のＲＦＩＤタグ１２と近接型のＲＦＩＤタグ１３に書かれているインデックスナンバーが異なる場合、記録内容情報蓄積部３５はＲＦＩＤライタ３３に新規のインデックスナンバーを送信し、ＲＦＩＤライタ３３はインデックスナンバーを密着型のＲＦＩＤタグ１２と近接型のＲＦＩＤタグ１３に書き込む。記録装置３１は映像、画像、音声入力４２を記録部３８にて記録媒体１１に記録する。この際、記録内容情報蓄積部３５は、インターネット４３などから記録内容に関する詳細な情報を収集し、インデックスナンバー別に記録する。
【００２３】
ユーザが記録内容表示装置２１ｃのリーダ選択スイッチ５２によって、密着型ＲＦＩＤ（図６の Single ）と近接型ＲＦＩＤ（図６の Multi ）のいずれを使用するかを選択すると、密着型用のＲＦＩＤリーダ２２と近接型用のＲＦＩＤリーダ２３のいずれか一方がアクティブな状態となる。密着型用のＲＦＩＤリーダ２２は密着型用のＲＦＩＤタグ１２と、近接型用のＲＦＩＤリーダ２３は近接型のＲＦＩＤタグ１３と、それぞれアクティブな状態にある時に送受信を行い、それぞれのＲＦＩＤタグ１２、１３に書かれているインデックスナンバーを取得する。また、ＲＦＩＤリーダ２２、２３は、その時点で通信可能な状態であるＲＦＩＤタグ１２、１３に書き込まれたインデックスナンバーの数を表示部２４Ｃへと送りユーザに提示する。
【００２４】
ここで、ユーザ入力４１によりインデックスナンバー送信スイッチ５４への入力があると、インデックスナンバー送信部５３は、密着型ＲＦＩＤリーダ２２と近接型ＲＦＩＤリーダ２３のいずれかアクティブなＲＦＩＤリーダから、読み取り可能なＲＦＩＤタグに記録されているインデックスナンバーを全て受け取る。受け取ったインデックスナンバーは記録装置３１のインデックスナンバー受信部５７へと送られる。
【００２５】
記録装置３１は、インデックスナンバー受信部５７にて受け取ったインデックスナンバーに対応する記録内容に関する情報を、記録内容情報蓄積部３５から読み出して記録内容送信部５６へと送る。記録内容送信部５６は記録内容に関する情報を記録内容表示装置２１ｃの記録内容受信部５５へと送信する。記録内容受信部５５で受け取った情報は表示部２４ｃで表示される。本システムにより、ユーザは記録媒体１１をケースから取り出して再生装置に挿入することなく、記録媒体１１に記録された内容の詳細情報を知ることができる。
【００２６】
図６は記録内容表示装置２１ｃの一例の外観図である。記録内容表示装置２１ｃには記録装置３１とインデックスナンバー受信部のアンテナ６１、密着型用のＲＦＩＤリーダ２２のアンテナ６２、近接型用のＲＦＩＤリーダ２３のアンテナ６３の３つのアンテナが備えられている。ユーザは、リーダ選択スイッチ５２によって、１つの記録媒体（図６の Single ）、あるいは複数の記録媒体（図６の Multi ）のいずれを対象にするかを選択することができる。また、インデックスナンバー送信スイッチ５４（図６の Send ）が備えられており、これによって読み込んだインデックスナンバーを記録装置３１へ送信することができる。記録装置３１から受け取った記録内容に関する情報は表示部２４ｃに表示され、また、ユーザは記録内容表示装置２１ｃの操作ボタン６４を操作しながら記録内容の確認を行うことができる。
【００２７】
＜第４の実施の形態＞
図７、図８はそれぞれ第４の実施の形態のシステム構成、無線ユーザ端末である記録内容表示装置２１ｄを示す。複数のＲＦＩＤを用いた第３の実施の形態のシステムとは異なり、第２の実施の形態と同様に、ＲＦＩＤタグは近接型タグ１３のみを使用する。記録内容表示装置２１ｄは、密着型用のＲＦＩＤリーダ２２を取り除く代わりにリーダ出力レベル制御部５１が追加される。また、リーダ選択スイッチ５２の代わりにリーダＯＮ／ＯＦＦスイッチ２９を用いる。本システムでは、リーダ選択スイッチ５２で通信距離を選択する代わりに、リーダＯＮ／ＯＦＦスイッチ２９でＲＦＩＤリーダ２３の電源をＯＮの状態にし、その状態でリーダ出力レベル制御部５１を操作することによって通信距離の変更を行う。これにより、ユーザは適宜、最適な通信距離を選択しながら目標となる記録媒体１１を選択することが可能となる。
【００２８】
上記実施形態のシステム例では、記録媒体探索装置２１ａ、２１ｂ、記録内容表示装置２１ｃ、２１ｄを１つの独立した装置として扱っているが、一般的に記録装置３１にはリモートコントローラが付属しているため、装置２１ａ、２１ｂ、２１ｃ、２１ｄをリモートコントローラに内蔵させる方が便利である。この方法は、ＲＦＩＤリーダ２２、２３の小型化が急速に進んでいるため、容易に実現可能である。
【００２９】
・本発明により、記録装置３１と着脱可能な記録媒体１１に記録した映像、画像、音声を一括管理できるため、記録履歴の閲覧や記録内容の探索が容易に行えるという効果がある。
・本発明により、鑑賞したい映像、画像、音声データがどの記録媒体１１に収録されているのかを容易に知ることができるという効果がある。
【図面の簡単な説明】
【００３０】
【図１】本発明の第１の実施の形態に係る記録媒体探索システムを示すブロック図である。
【図２】図１の記録媒体探索装置を示す外観図である。
【図３】本発明の第２の実施の形態に係る記録媒体探索システムを示すブロック図である。
【図４】図３の記録媒体探索装置を示す外観図である。
【図５】本発明の第３の実施の形態に係る記録媒体探索システムを示すブロック図である。
【図６】図５の記録内容表示装置を示す外観図である。
【図７】本発明の第４の実施の形態に係る記録媒体探索システムを示すブロック図である。
【図８】図７の記録内容表示装置を示す外観図である。
【符号の説明】
【００３１】
１１  記録媒体
１２  密着型のＲＦＩＤタグ
１３  近接型のＲＦＩＤタグ
２１ａ、２１ｂ  記録媒体探索装置
２１ｃ、２１ｄ  記録内容表示装置
２２  密着型のＲＦＩＤリーダ
２３  近接型のＲＦＩＤリーダ
２４ａ、２４ｂ  探索結果提示部
２４ｃ  表示部
２５  密着型ＲＦＩＤ用のＬＥＤ
２６  近接型ＲＦＩＤ用のＬＥＤ
２７、５７  インデックスナンバー受信部
２８  インデックスナンバーの受信を知らせるＬＥＤ
２９  リーダＯＮ／ＯＦＦスイッチ
３１  記録装置
３２  記録媒体格納部
３３  ＲＦＩＤライタ
３４  ＲＦＩＤリーダ
３５  記録内容情報蓄積部
３６、５３  インデックスナンバー送信部
３７  記録内容表示／選択インタフェース
３８  記録部
４１  ユーザ入力
４２  映像／画像／音声入力
４３  インターネット
５１  リーダ出力レベル制御部
５２  リーダ選択スイッチ
５４  インデックスナンバー送信スイッチ
５５  記録内容受信部
５６  記録内容送信部
５７  インデックスナンバー受信部
６１  アンテナ
６２  密着型のＲＦＩＤリーダのアンテナ
６３  近接型のＲＦＩＤリーダのアンテナ
６４  操作ボタン
【図１】
2007048403.tif 000003
【図２】
2007048403.tif 000004
【図３】
2007048403.tif 000005
【図４】
2007048403.tif 000006
【図５】
2007048403.tif 000007
【図６】
2007048403.tif 000008
【図７】
2007048403.tif 000009
【図８】
2007048403.tif 000010